【手続補正書】
【提出日】平成27年11月19日(2015.11.19)
【手続補正１】
【補正対象書類名】明細書
【補正対象項目名】全文
【補正方法】変更
【補正の内容】
【発明の詳細な説明】
【発明の名称】ホルダ、医療用器具および外科用器具
【技術分野】
【０００１】
本発明は、逃げ溝を有する医療用器具の器具シャフトの接続端部を収容するためのクイックカップリングを備えたホルダ、および、そのホルダに接続可能な医療用器具、特に外科用器具に関する。
【背景技術】
【０００２】
この種のホルダは、少なくとも、装入および使用のために同軸上に保持される医療用器具の固定の際に利用される。同軸上の固定は、ホルダと器具との間の軸方向の遊びを可能にするが、器具を、ホルダから軸方向に例えば非意図的に弛ませることなく、確実にホルダに固定するものである。また多くの場合、モータ駆動により生み出された力や手動で生み出された力が、軸方向だけでなく、医療用器具の回転駆動のためにも伝動されなければならない。このような場合、対応するホルダには、医療用器具の捩じり応力に強い収容のための手段と、ホルダと医療用器具との結合のための手段を追加的に設ける必要がある。
【０００３】
この説明および発明の意味する医療用器具とは、特に、穿孔器、フライス盤、やすり、突き錐、のこぎり、およびこれらに類する医療に使用されるツールのことである。しかし、本発明における医療用器具は、特に内部人工器官も含む人工器官の一部としてのインプラント、および、その他のハンドリングのためのホルダを含み、装着、除去、移植およびその他の医療ステップにおいて結合されるべきインプラントに関して、インプラントの一部およびインプラント自体も、外科用器具と解釈できる。
【０００４】
この種のホルダは、例えば独国特許出願公開第６０２００４００１０６３号公報の構成が知られている。この文献では、図１に医療用器具として、その器具シャフトの接続端部に、符号78が付けられた、ハドソン（Ｈｕｄｓｏｎ）・コネクタまたはトリンクル（Ｔｒｉｎｋｌｅ）・アダプタと呼ばれる接続形態の拡孔錐が示されている。この拡孔錐は、固定するためにホルダのクイックカップリングに導入される。このホルダは、締付けスリーブの捩り込みによって器具シャフトの接続端部の逃げ溝に係合するチャック爪を有する締付けチャックのように固定される。この文献の図４には、他の設計例が示されているが、この設計例では、器具シャフトの接続端部のロックはロッキングボールを用いて行われる。
【０００５】
シャフト形のホルダを他の方法で外科用器具に結合するその他の技術は、欧州特許出願公開第０８９３０９７号公報および独国特許第２００９４６９号明細書に示されている。
【先行技術文献】
【特許文献】
【０００６】
【特許文献１】独国特許出願公開第６０２００４００１０６３号公報
【特許文献２】欧州特許出願公開第０８９３０９７号公報
【特許文献３】独国特許第２００９４６９号明細書
【発明の概要】
【発明が解決しようとする課題】
【０００７】
特に、この種のホルダのように、通常、医療用器具が接続されたホルダが手術および処置の進行中に使用される場合には、定期的に医療用器具自体だけではなく、ホルダも、例えば血液その他の体液、手術中に溶解した組織成分、骨細片、および、骨破片や、それに類したものによって、特にクイックカップリングの部分が汚染される。こうしたホルダは、通常は一回限りで使用するものではなく繰り返し利用可能な器具であるため、使用後で再度利用する前に、適切に洗浄されかつ殺菌されなければならない。そして、通常、ホルダの従来のクイックカップリングに備えられた小部品、特にこの種の部品間における僅かな寸法の隙間や空間は、残滓の無い洗浄および完全な殺菌に際して、特に障害となる。すなわちホルダにおけるこの種のクイックカップリングが分解可能な場合には、洗浄および殺菌を行う者が、これらのクイックカップリングを分解するだけでなく、小部品も洗浄および殺菌のために念入りに取り扱われ、接続する際には、クイックカップリングを再び適切に組み立てなければならない。一方、クイックカップリングが分解可能でない場合には、例えばロッキングボールの座の部分に生じるような小さな隙間や中間スペースに残滓が無いように洗浄しかつ殺菌することは、ほとんど不可能である。そのため、ホルダの再度の使用に際し、その後の医療処置の途中で合併症に繋がる可能性があり、汚染残滓の危険性が考えられる。
【０００８】
したがって、本発明の課題は、周知の同種の医療用器具、特に外科用器具のためのホルダを、従来のホルダに対して構造を簡略化でき、かつ、使用後のアフターケアにおいて簡単に洗浄および殺菌できるという趣旨に沿うものである。
【課題を解決するための手段】
【０００９】
この課題は、請求項１の特徴を有する医療用器具、特に外科用器具のためのホルダによって解決される。このようなホルダの有利な構成は、従属項である請求項２ないし８に示されている。さらに、本発明における課題解決のその他の観点は、請求項１ないし８いずれか一に記載のホルダ内に着脱自在に固定可能な医療用器具に関する請求項９や、この請求項９に対応する請求項１０ないし１２の構成である。
【００１０】
すなわち本発明に係る医療用器具、特に外科用器具のための新型のホルダは、医療用器具の器具シャフトにおける逃げ溝を有する接続端部を接続して収容するためのクイックカップリングを有している。このクイックカップリングは、接続端部を収容可能な第１の軸方向開口部を有する第１のカップリングエレメントを備えている。また、クイックカップリングは、接続端部に対応した第２の軸方向開口部を有する第２のカップリングエレメントを備えている。第１のカップリングエレメントおよび第２のカップリングエレメントは、第２の開口部の縁が器具シャフトの接続端部において逃げ溝に係合してロックするように第１の開口部と第２の開口部とが軸方向に相対的に変位するロック位置から解除位置へ移行するために、開口部の軸方向に対して斜め方向に互いに相対的に移動可能である。また、解除位置では、第１の軸方向開口部と第２の軸方向開口部とが、少なくとも接続端部が第１の軸方向開口部および第２の軸方向開口部から抜き差し自在となる程度に直線上に離間して配置される。さらに、第１のカップリングエレメントおよび第２のカップリングエレメントは、スプリングユニットを介して互いに一体に接続されており、このスプリングユニットは、第１のカップリングエレメントおよび第２のカップリングエレメントをロック位置に向かって互いに相対的に付勢する。
【００１１】
この種の構造のホルダでは、クイックカップリングに、例えばロッキングボールのようなロッキングエレメントを予め備える必要性がない。すなわち、ホルダでは、第１の軸方向開口部と第２の軸方向開口部とが通常位置として軸方向の延長線に対し互いに斜め方向にずれたロック位置に付勢されることにより、第１のカップリングエレメントの第１の軸方向開口部と第２のカップリングエレメントの第２の軸方向開口部とがオフセット状態となって、ロック作用を奏する。言い換えると、器具シャフトの接続端部と共に第１の開口部を通じて導かれた医療用器具は、まず、この第１の軸方向開口部を通じて半径方向に固定される。また、軸方向の固定またはロックは、接続端部が第２の開口部も貫通することによって行われる。この場合、第２の開口部は、その内周縁で接続端部の逃げ溝に接触して係合するとともに、器具シャフトを軸方向にロックするように、軸方向に対し斜めにスライドする。上述のロック位置においては、さらに軸方向の遊びが存在する。多くの場合、このような軸方向の遊びは、手動ホルダにおいて、追加的な触覚上の補助作用が得られるため、利用者からも望まれていたことである。その他の場合、例えば頭蓋冠部分の硬い骨を穿孔するための器具では、こうした軸方向の遊隙が必要である。すなわち、器具シャフトの後方に向かって軸方向にスライドした位置においてのみ、ばね荷重に抗して器具を押し付けた場合に、穿孔されるべき頭蓋冠へ駆動装置に誘導された回転が作用するためである。しかしこのスライドされた位置は、頭蓋冠が穿孔されると緩んでばねが回転駆動を止めてドリル装置がニュートラルになる。その結果、ドリル駆動がそのまま継続してしまって頭蓋冠の下にある軟組織部分の損傷または脳の損傷が生じることが防止される。
【００１２】
その他の本発明に係るホルダの利点は、第１のカップリングエレメントと第２のカップリングエレメントとが結合されて一体的に構成されていることである。この構成によって、ホルダの洗浄および殺菌に際して必要な個別部品および小部品への分解が問題とならない。加えて、特に好ましいホルダ、特にクイックカップリングの構造と形成とにより、互いに一体的に接続した部品間に、適切な洗浄器具を使って巧く到達でき、洗浄および殺菌できる適切な中間スペースを確保できる。こうして例えばロッキングボールのボールベアリング面に関して、中間スペースが、完全に洗浄および殺菌し徹底的に洗浄および殺菌するために十分ではなくなってしまう問題、特に中間スペースが極端に狭くなってしまう問題を回避することができる。
【００１３】
クイックカップリングは、全体として一体的に形成することが好ましく、簡単に殺菌可能で、また優先的に手術および処置のために十分な生体適合性を有する材料、特に医療用として使用可能なステンレスのような材料にて形成される。こうした金属の利用（チタンまたはチタン合金のような医療に使用可能なその他の金属も利用可能である）により、比較的薄い材料を用いて、ロック位置の方向に向かって十分な復元力を生み出すスプリングユニットを、第１のカップリングエレメントと第２のカップリングエレメントとの一体的な接続に適用する構成が好適である。
【００１４】
本発明に係るホルダは、ホルダ内でクイックカップリングに対して器具が回転して捩れにくく配置するため、器具シャフトの接続端部における反対構造と共に作用する遮断構造を有する構成が好ましい。この種の構成は、特に、ホルダによって回転力または回転モーメントを、例えばドリルまたは拡孔錐といった医療用器具に伝達しなければならない場合に重要である。この種の遮断構造のために考えられる構成は、第１のカップリングエレメントの外側面における第１の軸方向開口部に臨む前部を有するクイックカップリングにおいて、前部の表面を貫く開口部の互いに対向する側に、サイドカバーを配置する構成である。
【００１５】
このサイドカバーは前部の表面から外側に向かって延びており、遮断構造を構成し、互いに平行で対向した平らな接触面を有する。接触面は、器具シャフトの接続端部に形成された反対構造の反対面に倣った形状であり、接触面と反対構造とは互いに対応している。
【００１６】
本発明に係るホルダの優先的な構成において、クイックカップリングは基体を有し、この基体には、第１のカップリングエレメントおよび第２のカップリングエレメントが一体に成形されている。その際、基体にはリセス（窪み）が設けられ、このリセスは、一方側が基体の壁によって制限され、またこのリセスに沿って、前記壁が対向する他方側である基体の外側にスプリングユニットが配置され、そしてスプリングユニットに対し角度をつけて傾斜状に第２のカップリングエレメントが配置されている。この構成は、簡単に製造されるための設計オプションであり、同時にホルダ、特にクイックカップリング部分において簡単に洗浄および殺菌が可能であるという要件を満たすことができる。すなわち、リセスが十分に大きく設けられて、基体の壁とスプリングユニットとの間の中間スペースが洗浄器具の挿入のために十分広く確保されていれば、簡単に洗浄および殺菌できる。またリセスは、同じく角部を有する構成が好ましく、特にその延び（形状）において、スプリングユニットの角部のある形状と、このスプリングユニットの角部に対応する角度で延びる第２のカップリングエレメントの角部の形状とに基づいて構成可能である。
【００１７】
さらに、本発明に係るホルダの有利な設計オプションでは、リセスが雌フランジを有し、第２のカップリングエレメントが雄フランジを有し（当然のことながら、逆の構成、すなわちリセスが雄フランジを有し、カップリングエレメントが雌フランジを有する構成でもよい。）、これら雌フランジと雄フランジとがロック位置で当接することによって、第１のカップリングエレメントに対する第２のカップリングエレメントの相対移動をロック位置で係止して、ロック位置を超えてしまうことを防止するストッパとして作用する構成が好適である。このようなストッパ作用は、誤った操作を防止し、総じて、本発明に係るホルダの安定性と信頼性とを向上できる。
【００１８】
本発明のその他の有利な設計では、スプリングユニットをホルダの外側面に配置でき、このような配置により、ロック位置から解除位置に第２のカップリングエレメントを移動させるため、ホルダの縦軸方向に対し斜めに働く力、具体的にはスプリングユニットの減衰効果により働く力、特に圧縮力を、手動でこのホルダの外側面に作用させることができる。言い換えると、スプリングユニットが「圧力スイッチ」として作用し、これを作動させることにより、第１のカップリングエレメントと第２のカップリングエレメントとの相対位置を、ロック位置から解除位置へ移行でき、解除位置においては、ホルダに接続された器具をホルダから解除可能であり、かつ、器具シャフトの接続端部をホルダのクイックカップリングに導入し固定可能である。
【００１９】
ホルダは、特に回転シャフトを使い手動で作動する構成にしてもよく、この構成では、一方の自由端部にクイックカップリングが配置され、また自由端部とは反対側の他方の端部に、例えばＴ字型のグリップ部分が配置される。しかし、この種のホルダに限定されておらず、本発明に係るホルダは、その他の形状で手動で操作する設計にしてもよい。例えば軸方向に作動する駆動装置や、回転駆動する駆動装置を、モータで駆動する器具駆動装置の一部としても実現できる。
【００２０】
本発明のその他の構成としては、上述のようなホルダと、ホルダに着脱自在に固定可能な少なくとも一つの医療用器具、特に外科用器具との組み合せも存在する。この医療用器具は、接続端部を有する器具シャフトを備え、また、器具シャフトの接続端部に逃げ溝が形成されている。このような組み合せは、ホルダとただ１つの医療用器具とに限定されるものではなく、ホルダと１つまたは複数の医療用器具との組み合わせにしてもよい。
【００２１】
このような組み合せにおける好ましい設計は、医療用器具がその器具シャフトの接続端部の自由端部より基端側に、器具シャフトの自由端部から円錐形に広がるように厚くなった部分である接続部を有し、この接続部は、基端部が逃げ溝より大径である。すなわち、接続部は、基端部から自由端部へ向かって漸次小径に形成されている。また、接続部が、逃げ溝の終端部分で、自由端部と対向し、かつ、器具シャフトにおけるより小さな範囲で僅かに低く段差状に形成されるという利点を有する。この円錐形の厚くなった部分（接続部）により、クイックカップリングへの器具シャフトの接続端部をより容易に導入できる。接続部によって、軸方向に向けられた圧縮力が器具シャフトに作用する際、クイックカップリングの第２のカップリングエレメントが、ロック位置から押し出され解除位置へ移動するとともに、第２のカップリングエレメントが、接続部より基端側の逃げ溝に達して、ロック位置でパチンと閉まり、接続端部が固定される。
【００２２】
回転力または回転モーメントの伝達にとって、上述の医療用器具が、器具シャフトのその接続端部に、反対構造の反対面を構成する平行な平面を有することは有利な構成である。
【図面の簡単な説明】
【００２３】
【図１】本発明に係る医療用器具、特に外科用器具のためのホルダの一実施の形態におけるクイックカップリングを含む側面からの斜視図である。
【図２】図１のホルダにおけるクイックカップリングの側面を示す側面図である。
【図３】図１のホルダにおける第１の短辺を示す側面図である。
【図４】図１のホルダにおいて、図３に示された短辺とは反対側のその他の短辺を示す側面図である。
【図５】図１に示すホルダにおいて、クイックカップリングのカップリング側を拡大して示す正面図である。
【図６】図１に示すホルダの縦断面図である。
【図７】図１に示すホルダに収容された医療用器具の接続端部を示す部分断面図である。
【図８】ａないしｃは、図１に示すホルダにおいて、医療用器具の接続端部を導入した際のクイックカップリングを含む構成を拡大した断面図である。
【発明を実施するための形態】
【００２４】
本発明の一実施の形態について、図面を参照しながら説明する。
【００２５】
各図面は、完全な設計図とみなすことはできず、むしろ、本発明に係るホルダの設計例の発明上最も重要な特徴や、その他の重要な特徴の図示に限定される。
【００２６】
本発明に係る医療用器具、特に外科用器具のためのホルダは、これらの図において様々な（部分）投影図で示され、また全般的に符号１で表示される。
【００２７】
この実施の形態のホルダ１は、シャフト部分２を含め細長く成形されている。このシャフト部分２の一方側の端部である前側端部には、クイックカップリング３が形成されている。このクイックカップリング３は、医療用器具の器具シャフトにおいて、逃げ溝Ｄを有しホルダ１に結合可能な接続端部Ａを収容して接続できる。
【００２８】
クイックカップリング３は、第１のカップリングエレメントとしての本体26およびその前部４に、ホルダ１の縦軸６に沿って延びる穴状に形成された第１の軸方向開口部としての受入開口部５を有している。クイックカップリング３は、特に一体的に形成されており、２つの平坦な側面７，８を有し、またこれら側面７，８間に短辺９，10を有している。これら側面７，８および短辺９，10はそれぞれ前部４に向かって開くように楔形に延び、短辺９，10は再び先端に向かって細くなる。短辺９，10は、この先端へ向かって細くなる箇所で前部４において突出した２つの雄フランジ11，12を構成する。
【００２９】
第２のカップリングエレメントとしてのカップリングプレート13は、クイックカップリング３を構成する一体的な材料にて形成され、リセスとしてのスロット14を介してクイックカップリング３の本体26から離間したスプリングユニット15と一方側で結合している。スロット14の基端で前部４とは反対側の領域では、スプリングユニット15が、クイックカップリング３の本体26と一体的に接続されている。スプリングユニット15は、短辺９の表面上に位置する平坦面16を有し、この平坦面16は、親指を置くための人間工学的エレメントまたは触覚に関係するエレメントとして構成される。反対側の短辺10には、グリップ凹部17，18，19が設けられている。これらグリップ凹部17，18，19は、使用者の親指が平坦面16で止まるように、手の指、特に人差し指、中指および薬指を配置する。このように手動により、カップリングプレート13の縦スライドを同じ方向に生じさせるために、スプリングユニット15を反対側である短辺10への方向に移動させることができる。カップリングプレート13とスプリングユニット15とは、上述のように、互いに一体的に接続されており、１つの角部を有している。その結果、カップリングプレート13は、基本的に縦軸６に対し垂直に延びるとともに、この縦軸６に沿って延びる受入開口部５の穴と平行方向に延びる。カップリングプレート13は、クイックカップリング３内、正確にはその本体26内のスロット14に対して所定の角度で延びる受入スロット27内に配置されている。受入スロット27内では、カップリングプレート13は受入スロット27に沿って動くことができる。受入スロット27とスロット14とは、互いに所定角度を成してＬ字型のスロットを形成する。
【００３０】
カップリングプレート13には、特に図６に示すように、第２の軸方向開口部としての開口部20が形成されている。この開口部20は、その直線上において同じく軸方向、すなわち延長方向を含め縦軸６に平行に延びているが、スプリングユニット15が開始位置または休止位置にある図６に示す状態では、受入開口部５の中心軸を形成するその中心軸21を含めた縦軸６に対し相対的に移動可能である。受入開口部５は、終端部22に至るまでカップリングプレート13が横断する区域を越えて延びている。また、正面図である図５に示すように、受入開口部５からは、互いに変位した中心軸21および縦軸６と、カップリングプレート13の一部とが認識できる。
【００３１】
これに加えて図６に示すように、ホルダ１のシャフト部分２に、めくら穴として設計された受け部23が形成されている。これは、本発明に係るホルダ１をその他の構造、例えば回転駆動装置を備えたモータ器具駆動装置の駆動軸と結合する際、または、例えばホルダ１の縦軸方向に対して斜め、すなわち縦軸６に対し斜め、特に縦軸６に対して垂直に設計されたＴグリップと結合する際に利用できる。
【００３２】
本発明に係るホルダ１のクイックカップリング３は、器具シャフトの接続端部Ａ（図７を参照。）と結合するために構成されている。ここに示された設計および構造では、クイックカップリング３または接続端部Ａは、特にいわゆるハドソン（Ｈｕｄｓｏｎ）・コネクタまたはそれに対応する接続カップリングとして構成されている。
【００３３】
ホルダ１のクイックカップリング３と接続端部Ａとの接続方法は、図８（ａ）ないし図８（ｃ）にそれぞれ示されている。
【００３４】
まず、図８（ａ）に示す開始状態では、ホルダ１のクイックカップリング３が、緩和された開始位置または休止位置にあるスプリングユニット15と共に示されている。この位置では、カップリングプレート13内の受入開口部５と開口部20とは、正確な直線状には調整されていない。それどころか、開口部20を制限するカップリングプレート13の部分24は、受入開口部５の領域内に突出し、その限りでは特に受入開口部５の終端部22の上に重なる。部分24では、この拡大図に示すように、カップリングプレート13は、前部４側に位置する開始傾斜部25を備えている。
【００３５】
器具シャフトの接続端部Ａは、その自由な端部に、直径が先端へ向けて細くなる部分Ｂとこの部分Ｂの先端に設けられた接続部Ｃを有する。また、接続端部Ａには、逃げ溝Ｄが形成される。図８（ｂ）に示すように、接続端部Ａが受入開口部５に導入されると、接続部Ｃがカップリングプレート13の開始傾斜部25に突き当たる。これによって、接続部Ｃが、上方、すなわち短辺10側へ案内される。スプリングユニット15の弾性と柔軟性とによって、カップリングプレート13はこの短辺10への方向に移動し、その結果、接続部Ｃが開口部20を通過できる。接続部Ｃと相互作用する開始傾斜部25の作用は、接続部Ｃが開口部20を通過可能となる程度に、カップリングプレート13を短辺10の方向にシフトさせるのに十分ではない。そこで、手動により、スプリングユニット15を、スロット14が閉じた状態で反対側である短辺10の方向に押しこむことによって、操作を助長できる。
【００３６】
接続部Ｃがカップリングプレート13内の開口部20を完全に通過し、受入開口部５の終端部22に到達すると、カップリングプレート13は、スプリングユニット15のばねの付勢力によって、その休止位置または開始位置であるロック位置に戻りパチンと係合できる。この状態で、接続端部Ａの逃げ溝Ｄの上にある部分24が、接続端部Ａの軸方向、すなわちホルダの縦軸６の方向への移動をロックする。接続端部Ａをこのロック状態から解除するには、スプリングユニット15を反対側である短辺10の方向に押し込むことによって、受入開口部５と開口部20とが一直線状に配置されて、接続部Ｃの通過のための開口部20が露出し接続端部Ａを取り外すことができるように、カップリングプレート13をスライドさせる必要がある。
【００３７】
上述の実施の形態から、本発明に係るホルダ１のクイックカップリング３が、スプリングユニット15、および、それに対応するロック機能と相互作用する受入開口部５および開口部20の協働によって、更に優先的な一体性によって、簡単に構築されていることが明らかになった。これにより、簡単で丈夫な操作性と、特に使用後の簡単な洗浄可能性および殺菌可能性とを向上できる。なお、上述の実施の形態は、その幅広い範囲において以下の特許請求の範囲で規定されている本発明を制限していない。
【符号の説明】
【００３８】
１    ホルダ
２    シャフト部分
３    クイックカップリング
４    前部
５    第１の軸方向開口部としての受入開口部
６    縦軸
７    側面
８    側面
９    短辺
10    短辺
11    雄フランジ
12    雄フランジ
13    第２のカップリングエレメントとしてのカップリングプレート
14    リセスとしてのスロット
15    スプリングユニット
16    平坦面
17    グリップ凹部
18    グリップ凹部
19    グリップ凹部
20    第２の軸方向開口部としての開口部
21    中心軸
22    終端部
23    受け部
24    部分
25    開始傾斜部
26    第１のカップリングエレメントとしての本体
27    受入スロット
Ａ    接続端部
Ｂ    部分
Ｃ    接続部
Ｄ    逃げ溝
【手続補正２】
【補正対象書類名】特許請求の範囲
【補正対象項目名】全文
【補正方法】変更
【補正の内容】
【特許請求の範囲】
【請求項１】
医療用器具の器具シャフトにおける逃げ溝を有する接続端部が接続されるクイックカップリングを備え、
このクイックカップリングは、接続端部を収容可能な第１の軸方向開口部を有する第１のカップリングエレメントと、接続端部に対応した第２の軸方向開口部を有する第２のカップリングエレメントとを備え、
この第２のカップリングエレメントは、第２の軸方向開口部の縁が器具シャフトの接続端部の逃げ溝に係合されたロック位置と、少なくとも接続端部が第１の軸方向開口部および第２の軸方向開口部から抜き差し自在となるように第１の軸方向開口部と第２の軸方向開口部とが直線状に配置された解除位置との間で、第１のカップリングエレメントに対して相対的に、第１軸方向開口部および第２の軸方向開口部の軸方向に対して傾斜方向に移動可能であり、
第１のカップリングエレメントおよび第２のカップリングエレメントは、スプリングユニットを介して互いに一体的に接続されており、
第１のカップリングエレメントおよび第２のカップリングエレメントは、スプリングユニットによってロック位置へ付勢されている
ことを特徴とするホルダ。
【請求項２】
クイックカップリングは、内部で器具シャフトを回転しにくくするために、器具シャフトの接続端部の反対構造に対応した形状の遮断構造を有する
こと特徴とする請求項１記載のホルダ。
【請求項３】
クイックカップリングは、第１のカップリングエレメントの一端部に位置し第１の軸方向開口部に臨む前部を有し、
前部は、器具シャフトの接続端部の反対構造を形成する反対面との接触のための平らな接触面を有し遮断構造を構成する互いに平行で対向して配置された横ブロックを有する
ことを特徴とする請求項２記載のホルダ。
【請求項４】
クイックカップリングは、第１のカップリングエレメントおよび第２のカップリングエレメントが設けられた基体を有し、
この基体は、リセスと、このリセスの外側に位置しリセスに沿って設けられたスプリングユニットと有し、
第２のカップリングエレメントは、スプリングユニットに対し傾斜して接続されている
ことを特徴とする請求項１ないし３いずれか一記載のホルダ。
【請求項５】
リセスは、角部を有する
ことを特徴とする請求項４記載のホルダ。
【請求項６】
リセスは、雌フランジを有し、
第２のカップリングエレメントは、雄フランジを有し、
これら雌フランジおよび雄フランジは、第１のカップリングエレメントに対する第２のカップリングエレメントの相対移動をロック位置で係止可能である
ことを特徴とする請求項４または５記載のホルダ。
【請求項７】
スプリングユニットは、ホルダの側面に位置し、
第２のカップリングエレメントは、スプリングユニットのばねの付勢力に抗したホルダの軸方向に対して傾斜方向への力により、第１のカップリングエレメントに対してロック位置から解除位置へ移動可能である
ことを特徴とする請求項１ないし６いずれか一記載のホルダ。
【請求項８】
一方側の端部にクイックカップリングが配置され、他方側の端部にグリップ部分を有するシャフト部分が配置されている
ことを特徴とする請求項１ないし７いずれか一記載のホルダ。
【請求項９】
請求項１ないし８いずれか一記載のホルダに着脱可能で、クイックカップリングに接続可能な接続端部を有する器具シャフトを備えた医療用器具であって、
器具シャフトの接続端部に逃げ溝が形成されている
ことを特徴とする医療用器具。
【請求項１０】
器具シャフトの接続端部は、器具シャフトの自由端部より基端側に設けられた接続部を有し、
接続部は、少なくとも基端部が逃げ溝より大径で、かつ、基端部から自由端部側へ向かって漸次小径に形成されている。
ことを特徴とする請求項９記載の医療用器具。
【請求項１１】
器具シャフトの接続端部の反対構造の反対面を構成する平行な平面を有する
ことを特徴とする請求項９または１０記載の医療用器具。
【請求項１２】
外科用の器具である
ことを特徴とする請求項９ないし１１いずれか一記載の医療用器具。